(57)【要約】      （修正有）【課題】炉が使用可能な状態でいる間に構成部品を洗浄することを可能にし、さらに構成部品上に堆積した粒子状物質を収集および保持することができる装置および方法を提供する。【解決手段】装置は、可搬式のフレームと１４、フレームによって支持されかつその遠位端部にノズル５２を有する管状のランス５０と、ランスの近位端部に動作的に接続されてノズルにおいて吸引力を生成する吸引力生成器とを含むことができる。ノズルを構成部品をわたって動かすようにランスを操作することにより、堆積した粒子状物質を構成部品からランスを通じて除去することが可能になる。【選択図】図１
2020073269.tif 000002
【特許請求の範囲】
【請求項１】
堆積した粒子状物質を構成部品から除去するための装置であって、
可搬式のフレームと、
前記フレームによって支持されかつその遠位端部にノズルを有する管状のランスと、
前記ランスの近位端部に動作可能に接続されて前記ノズルにおいて吸引力を生成する吸引力生成器とを備え、
前記ランスを操作して前記ノズルを構成部品をわたって動かすことにより、堆積した粒子状物質を前記構成部品から前記ランスを通じて除去することが可能になる、装置。
【請求項２】
前記ノズルが黒鉛を含む、請求項１に記載の装置。
【請求項３】
前記ランスの前記遠位端部が、前記ランスの長手軸に対して実質的に直角である、請求項１に記載の装置。
【請求項４】
前記フレームが、前記ランスを包囲する管状の支持カラーを有する案内カラー組立体を含む、請求項１に記載の装置。
【請求項５】
前記案内カラー組立体が、支持受け台を含み、前記支持カラーが、接続ピンにより前記支持受け台に可動に接続される、請求項４に記載の装置。
【請求項６】
前記フレームが、離間した直立支柱の対と、前記直立支柱に取り付けられてそれらに架かるガントリー梁とを含む、請求項１に記載の装置。
【請求項７】
前記ガントリー梁に可動に連結されたトロリと、前記トロリおよび前記ランスを相互接続する釣合いデバイスとをさらに含む、請求項６に記載の装置。
【請求項８】
前記釣合いデバイスが、前記ランスの前記近位端部に接続される引き込み可能なつなぎケーブルを含む、請求項７に記載の装置。
【請求項９】
前記フレームが脚輪を含む、請求項１に記載の装置。
【請求項１０】
前記フレームが、前記構成部品の近傍の隣接した支持梁に取り付けられるための少なくとも１つの安定化組立体を含む、請求項１に記載の装置。
【請求項１１】
前記安定化組立体が、前記フレームに接続可能な結合部材と、前記構成部品の近傍の隣接した支持梁に接続可能な接続板と、前記結合部材および前記接続板を相互接続する引締めねじ組立体とを含む、請求項１０に記載の装置。
【請求項１２】
前記直立支柱の対が、高さ調節可能である、請求項６に記載の装置。
【請求項１３】
前記吸引力生成器が、加圧流体の流れを通過させるための入口端部および出口端部ならびに吸引ポートを有する静的なベンチュリデバイスであり、また、前記装置が、前記ランスの前記近位端部を前記ベンチュリデバイスの前記吸引ポートに接続する可撓性のホースを含む、請求項１に記載の装置。
【請求項１４】
前記ベンチュリデバイスの前記出口端部に流体接続される入口端部と、排出端部とを有する濾過器組立体をさらに含み、前記濾過器組立体が、前記ベンチュリデバイスの前記出口端部から同伴粒子状物質を含んだ加圧流体の流れを受け取って、実質的に粒子状物質が含まれていない加圧流体をその前記排出端部を通じて排出する、請求項１３に記載の装置
。
【請求項１５】
吸引力により構成部品から粒子状物質を除去する方法であって、
（ａ）  粒子状物質が除去される構成部品に隣接して請求項１に記載の装置を位置決めするステップと、
（ｂ）  前記吸引力生成器を操作して、前記ランスの前記ノズルにおいて吸引力を生成するステップと、
（ｃ）  前記ランスを操作して前記構成部品をわたって前記ノズルを動かすことにより、前記生成された吸引力により前記構成部品から粒子状物質を除去するステップと、
（ｄ）  前記ランスを通じて、前記除去された粒子状物質を前記構成部品から移送するステップと
を含む方法。
【請求項１６】
前記吸引力が、吸引ポートを有するベンチュリデバイスを通過する空気流によって生成され、前記ランスが、前記ベンチュリデバイスの前記吸引ポートに接続されている、請求項１５に記載の方法。
【請求項１７】
ステップ（ｄ）が、
（ｄ１）  前記粒子状物質を前記空気流に同伴させるステップと、
（ｄ２）  前記空気流および同伴粒子状物質を濾過器組立体に向かわせるステップと、
（ｄ３）  前記濾過器組立体内で前記空気流から前記同伴粒子状物質を除去するステップと、
（ｄ４）  前記濾過器組立体から実質的に粒子状物質が含まれていない空気流を排出するステップと
を含む、請求項１６に記載の方法。
【請求項１８】
釣合いデバイスによって前記ランスを吊り下げるステップを含む、請求項１５に記載の方法。
【請求項１９】
前記釣合いデバイスがつなぎケーブルを含み、また、前記方法が、前記ランスの近位端部を前記つなぎケーブルに取り付けるステップを含む、請求項１８に記載の方法。
【請求項２０】
可動トロリを有するガントリー梁を用意するステップ、および、前記釣合いデバイスを前記トロリからぶら下げるように支持するステップを含む、請求項１８に記載の方法。
【発明の詳細な説明】
【技術分野】
【０００１】
[0001]本出願は、参照によりその全内容が本明細書に明確に組み込まれている、２０１４年１月３０日に出願した英国特許出願第１４０１６０４．２号に基づくものであり、かつその優先権を主張するものである。
【０００２】
[0002]本発明は、選択的触媒還元（ｓｅｌｅｃｔｉｖｅ  ｃａｔａｌｙｓｔ  ｒｅｄｕｃｔｉｏｎ、「ＳＣＲ」）触媒、または、ＳＣＲシステムの構成部品、または精製プロセスもしくは発電システムの対流部を含むがこれらに限定されない精製プロセスまたは発電システムからの粒子状物質の除去に関する。
【背景技術】
【０００３】
[0003]ＳＣＲシステムは、燃焼排気から窒素酸化物（ＮＯｘ）を除去するために用いられる。窒素酸化物は、大気中で水蒸気と反応して酸性雨を発生させるか、または日光と反応してオゾンを発生させる可能性があるという事実から見て、公害問題をもたらすものである。ＮＯｘは、水素改質器、真空加熱器、プラットフォーマ、および他のプロセス用加熱器を含むがそれらに限定されない炉を加熱するための燃料の燃焼中に生じる。ＮＯｘは、燃焼中に、サーマルＮＯｘ、フューエルＮＯｘ、およびプロンプトＮＯｘの３つの状態で生じうる。
【０００４】
[0004]ＳＣＲシステムの目的は、窒素酸化物を二原子窒素（Ｎ２）に変換することである。システムは、ＮＯｘを変換するために、液体アンモニアおよび多孔性触媒を使用する。アンモニアは、制御された比率で、空気とともに煙道ガス中に噴射され、窒素酸化物は、アンモニアおよび酸素と反応して、二原子窒素および水を形成する。触媒は、変換率を９０％超に高める。その結果、窒素および水を大気中に安全に放出することができる。
【０００５】
[0005]炉の内部は、耐火セラミック繊維（ＲＣＦ）、耐火断熱れんが、またはそれらの組み合わせで囲まれている。ＲＣＦは、プラットフォーマなどにおいて高温にさらされると結晶シリカおよび他の成分に失透する非晶質シリカを含む。炉内の気体の速度により、結晶シリカは、気体流に拾い上げられて下流に運ばれる。同様に、気体の速度および水蒸気は、耐火断熱材に対して研磨剤として作用することができ、また、シリカ移動として知られる過程により、耐火断熱材からの粒子状物質も集められて運ばれうる。また、燃料、特に油の燃焼中、例えばオイルダスティング（ｏｉｌ  ｄｕｓｔｉｎｇ）として知られる過程において、粒子状物質が生成されてやはり下流に運ばれうる。こうした粒子は、触媒の表面に堆積されて、通常は多孔性の触媒の表面を汚染するか、または炉の対流部の伝熱羽根上に堆積されうる。これらは、触媒の有効性を低下させるだけでなく、触媒を損傷するか汚染する可能性もあり、性能の低下につながる。伝熱羽根の場合では、粒子状物質は断熱材として作用し、したがってこの汚染は、ユニットの伝熱効率を低下させる。
【発明の概要】
【発明が解決しようとする課題】
【０００６】
[0006]そのような問題を克服するために、汚染されたユニットを洗浄するための様々な方法が用いられてきた。１つの知られた方法は、音波を発生させて汚染されたユニットから粒子状物質を遊離させ、次いでそれらを煙道ガスとともに排出するために、音響ホーンの使用を伴うものである。しかし、そうした粒子は、触媒のチャネル内に溜まるか、またはユニットの底に落ちてまとまる場合もある。別の方法は、典型的にはドライアイスを用いる吹き付けを伴うものであり、ドライアイスは、粒子状物質の領域で昇華するときに、
それらの粒子状物質を汚染されたユニットから遊離させる。
【課題を解決するための手段】
【０００７】
[0007]本明細書において開示される実施形態は、従来技術の諸問題のうちの少なくとも１つを克服または改善するか、あるいは有用な代替形態を提供することを図るものである。通常、炉が使用可能な状態または「オンライン」である間に構成部品を洗浄できるようにする方法および装置が提供される。さらに、今までは大気中に排出されて公害をもたらしていた、構成部品上に堆積した粒子状物質を、収集して保持することができる。
【０００８】
[0008]いくつかの実施形態によれば、堆積した粒子状物質を構成部品から除去するための装置が、可搬式のフレームと、フレームによって支持されかつその遠位端部にノズルを有する管状のランスと、ランスの近位端部に動作的に接続されてノズルにおいて吸引力を生成する吸引力生成器とを備え、ノズルを構成部品をわたって動かすようにランスを操作することにより、堆積した粒子状物質を構成部品からランスを通じて除去することが可能になる。ノズルは、黒鉛を含みうる。いくつかの実施形態によれば、ランスの遠位端部は、ランスの長手軸に対して実質的に直角とされうる。
【０００９】
[0009]吸引力生成器は、加圧流体の流れを通過させるための入口端部および出口端部、ならびに吸引ポートを有する、静的なベンチュリデバイスとすることができ、また、装置は、ランスの近位端部をベンチュリデバイスの吸引ポートに接続する可撓性のホースを含む。しかし、他の吸引力生成器、例えば真空ポンプが、申し分なく用いられうる。吸引力生成器がベンチュリデバイスである実施形態によれば、デバイスは、加圧流体の流れを通過させるための入口端部および出口端部、ならびに吸引ポートを含む。したがって、ランスの近位端部をベンチュリデバイスの吸引ポートに接続するために、可撓性のホースが設けられうる。入口端部を有する濾過器組立体が、ベンチュリデバイスの出口端部に接続されうる。したがって、そのような実施形態によれば、濾過器組立体は、ベンチュリデバイスの出口端部から粒子状物質を同伴した加圧流体の流れを受け取り、そして濾過器組立体の排出端部を通じて、実質的に粒子状物質が含まれていない加圧流体の流れを排出する。
【００１０】
[0010]フレームは、ランスを包囲する管状の支持カラーを有する案内カラー組立体を含みうる。いくつかの実施形態による案内カラー組立体は、支持受け台を含むことができ、支持カラーは、接続ピンにより支持受け台に可動に接続される。フレームのいくつかの実施形態は、離間した直立支柱の対と、この直立支柱に取り付けられてそれらに架かるガントリー梁とを含む。直立支柱の対は、高さ調節可能とすることができる。釣合いデバイスがトロリおよびランスを相互接続するように、ガントリー梁にトロリが可動に連結されうる。釣合いデバイスは、ランスの近位端部に接続される引き込み可能なつなぎケーブルを含みうる。
【００１１】
[0011]いくつかの実施形態は、吸引洗浄すべき構成部品の近傍の隣接した支持梁に取り付けるための少なくとも１つの安定化組立体を含むフレームを有する。安定化組立体は、フレームに接続可能な結合部材と、構成部品の近傍の隣接した支持梁に接続可能な接続板と、結合部材および接続板を相互接続する引締めねじ組立体とを含みうる。
【００１２】
[0012]使用時には、本明細書において説明される実施形態による装置が、粒子状物質が除去される構成部品（例えば、ＳＣＲシステムで使用されるＳＣＲ触媒）に隣接して位置決めされ、吸引力生成器が作動されて、ランスのノズルにおいて吸引力が生成されうる。ランスは、構成部品をわたってノズルを動かすように操作することができ、それにより、生成された吸引力により粒子状物質が構成部品から除去され、それに続いて、除去された粒子状物質を構成部品からランスを通じて移送することができる。
【００１３】
[0013]上記のように、吸引力は、そこを通過する加圧流体（空気）の流れに応じて吸引力を生成するベンチュリデバイスにより、ノズルにおいて生成されうる。したがって、ランスを通じて構成部品から移送される粒子状物質は、その後で濾過器組立体に向けられうる流体の流れに同伴される。したがって、同伴粒子状物質は、濾過器組立体内の適切な濾過材によって除去することができ、その後、実質的に粒子状物質が含まれていない流体（空気）を周囲環境に排出することができる。
【００１４】
[0014]本発明の上記その他の態様および利点は、本発明の好ましい例示的な実施形態に関する以下の詳細な説明を入念に考慮することで、より明らかになるであろう。
[0015]本発明の開示された実施形態は、例示的で非限定的な説明に役立つ実施形態に関する以下の詳細な説明を図面と併せて参照することで、よりよく、より十分に理解されるであろう。
【図面の簡単な説明】
【００１５】
【図１】[0016]本発明の一実施形態による装置の斜視図である。
【図２】[0017]図１に示された装置で使用される取付け組立体の拡大斜視図である。
【図３】[0018]図２に示された取付け組立体で使用される案内カラー組立体の、さらに拡大された斜視図である。
【図４】[0019]図３の線４−４に沿った案内カラー組立体の断面を部分的に示し、また、案内カラー組立体によって許容される真空ランスの長手方向の運動を示す、さらなる斜視図である。
【図５】[0020]図４と同様に案内カラー組立体の断面を部分的に示しているが、案内カラー組立体によって許容される真空ランスの枢動を示す、斜視図である。
【図６】[0021]図４と同様に案内カラー組立体の断面を部分的に示しているが、案内カラー組立体によって許容される真空ランスの緯度方向運動を示す、斜視図である。
【図７】[0022]図１に示された装置とともに使用することができるベンチュリ効果デバイスの図である。
【図８】[0023]図１に示された装置とともに使用することができる濾過器組立体の横断立面図である。
【図９】[0024]本発明の別の実施形態による装置の斜視図である。
【図１０】[0025]図９に示された装置とともに使用するためのクランプ組立体の斜視図である。
【発明を実施するための形態】
【００１６】
[0026]ＳＣＲシステムまたは対流システム（参照番号１２で概略的に示す）が使用可能な状態でいる間にそのシステム１２から堆積した粒子状物質を除去するための本発明の一実施形態による装置１０が、添付の図１〜６に示されている。図示のように、装置１０は一般に、離間した垂直支柱１６ａ、１６ｂの対から成るフレーム組立体１４を含み、垂直支柱１６ａ、１６ｂはそれぞれ、管状継手１８、２０の垂直枝部１８ａ、２０ａに受け入れられる下方端部を有する。フレーム１４は同様に、下方に分岐した脚支柱の２２−１、２２−２の対、および２４−１、２４−２の対を有し、各脚支柱の対は、継手１８、２０の脚枝部１８−１、１８−２、および２０−１、２０−２のうちのそれぞれ１つに受け入れられる上方端部をそれぞれ有する。ベース支柱３０、３２がそれぞれ、脚支柱２２−１および２４−１の下方端部の間、ならびに脚支柱２２−２および２４−２の下方端部の間に架かる。フレーム１４をシステム１２の開口部１２ａに対して動かすことができるように、各脚支柱２２−１、２２−２、２４−１および２４−２の下方端部に、脚輪３４が取り付けられうる。垂直支柱１６ａ、１６ｂの上方端部は、ガントリー梁３８が取り付けられる取付けパッド３６ａ、３６ｂを担持する。垂直支柱１６ａ、１６ｂは、ピンと穴から成る構成１８ｂ、２０ｂにより継手１８、２０に取り外し可能に取り付けられ、したがって、矢印Ａ１の方向におけるシステムの開口部１２ａに対するガントリー梁３８の垂直方
向の高さ調節が可能になる。
【００１７】
[0027]トロリ４０が、ガントリー梁３８に沿った矢印Ａ２の方向での往復運動が可能になるように、ガントリー梁３８によって可動に支持される。トロリ４０は、剛性で管状の真空ランス５０の近位端部５０ａに取り付けられるつなぎケーブル４２ａを有する釣合いデバイス４２を、ぶら下げるように支持する。ランス５０は、遠位端部５０ｂを含み、この遠位端部５０ｂは、示された実施形態では、ランス５０の伸長軸（ｅｌｏｎｇａｔｅ  ａｘｉｓ）に対して実質的に直角である。
【００１８】
[0028]したがって、真空ランス５０の重量は、操作者が開口部１２ａを通じてランス５０をシステム１２に出入りさせられるようにするために、釣合いデバイス４２によって釣り合わせられる。したがって、釣合いデバイス４２は、ランスがシステム１２に対して上下動されるときにつなぎケーブルを引き込んだり繰り出したりできるようにすることにより、洗浄中にランス５０およびその遠位端部５０ｂに取り付けられたノズル５２が開口部１２ａを通じてシステム１２内に案内されるときに、重力に逆らって操作者を支援する。ノズル５２は、システム１２内のＳＣＲ触媒（図示せず）の比較的壊れやすい材料への損傷を避けるために、十分に柔軟な黒鉛ヘッドであることが最も好ましい。
【００１９】
[0029]ランス５０の遠位端部５０ｂは、案内カラー組立体６０に受け入れられる。この案内カラー組立体６０は、図２〜６におけるその拡大された描写によってよりよく見えるであろう。この点について、カラー組立体６０は、ベース支柱３０と３２との間に延在しかつそれらに取り付けられる、離間した横支柱６２、６４の対を含む。直方体形状の揺架箱６６が、結合部材６８、７０により、横支柱６２および６４にぶら下げられるように支持され、かつそれらの間に取り付けられる。
【００２０】
[0030]ランス５０は、管状の支持カラー７２に受け入れられ、この支持カラー７２は、向かい合ったピン７４ａ、７４ｂにより、揺架箱６６に枢着される。図４〜６に示されるように、カラー７２は、洗浄される材料に対するランス５０とその遠位端部５０ｂに取り付けられたノズル５２との運動を可能にするために、ある程度の自由度を有する。具体的には、カラー７２は、ランス５０を図４の矢印Ａ３の方向に上方および下方に往復運動させられるようにするために、ランス５０を緩く包囲する。さらに、ランス５０は、ピン７４ａ、７４ｂの長手軸ＡＬのまわりで、図５で示されるように矢印Ａ４の方向に枢動されうる。さらに、ピン７４ａ、７４ｂは、図６の矢印Ａ５で示されるような揺架箱６６内での前進後退運動を可能にするのに十分な長さである。矢印Ａ３〜Ａ５により図４〜６に示された運動に加えて、ランスはまた、ノズル５２をほぼ水平の面において前後に枢動させられるようにするために、その長手軸のまわりで回転されうる。したがって、案内カラー組立体６０は、真空洗浄作業中に、操作者が所望するとおりにランス５０とその遠位端部に取り付けられたノズル５２とを操作および位置決めすることを可能にする。
【００２１】
[0031]ランス５０の近位端部５０ａは、可撓性のホース７６（図１参照）を介して吸引力生成器の吸引継手７８ａに取り付けられ、吸引力生成器は、示された実施形態では静的なベンチュリデバイス７８（図７参照）によって提示されている。ベンチュリデバイス７８は、その入口端部７８−１からベンチュリデバイス７８に入り出口端部７８−２から排出される圧縮空気の流れにより、ホース７６内に、したがってランス５０の遠位端部に取り付けられたノズル５２において、減圧圧力（真空）を生成する。よく知られているように、このベンチュリデバイス７８内の圧縮空気の流れは、吸引継手７８ａにおいて減圧（真空）圧力を生み出す。したがって、このようにして、ホース７６により、ランスの遠位端部５０ｂに取り付けられたノズル５２において吸引力が顕著に表れる。あるいは、動力学的真空ポンプ（ｄｙｎａｍｉｃ  ｖａｃｕｕｍ  ｐｕｍｐ）などの他の吸引力生成手段が用いられてもよい。
【００２２】
[0032]ノズル５２が操作者（ランス５０の遠位端部５０ｂに取り付けられたビデオカメラ（図示せず）による支援を受けることができる）によって手動で誘導されてシステム１２内のＳＣＲ触媒（または他の物質）をわたって動かされるにつれて、解放された粒子状物質は、システム１２から吸い出されて、ランス５０およびホース７６を通ってベンチュリデバイスへ移動することになる。したがって、そのようにしてシステム１２内のＳＣＲ触媒材料から吸引された解放された粒子状物質は、ベンチュリデバイス７８を流れる圧縮空気に同伴されて、ベンチュリデバイス７８の出口端部７８−２から排出される。したがって、出口端部７８−２は、濾過材８０ａを流れる空気から同伴粒子状物質を除去することができるように、適切なホース（図示せず）により図８に示されるような濾過器組立体８０の入口端部８０−１に接続されうる。したがって、実質的に粒子状物質が含まれていない空気が、出口８０−２を通じて濾過器組立体８０から周囲環境に排出されうる。
【００２３】
[0033]使用時には、装置１０は、アクセス開口部１２ａ（おおよそ２０．３２ｃｍ（８インチ）×６０．９６ｃｍ（２４インチ）とされうる）に対して炉システム１２上に設置される。操作者は、システム構成部品に関連する洗浄すべき触媒をわたってノズル５２が動かされるように、ランス５０を操作する。その際、ノズル５２の柔軟な黒鉛ヘッドは、密接な接触を可能にしながらも、構成部品への損傷を最小限に抑える。ノズル５２において生成された減圧圧力により、堆積した粒子状物質が構成部品から吸引される。次いで、これらの遊離した粒子状物質は、ランス５０およびホース７６に沿ってベンチュリデバイス７８まで移動し、そして、ベンチュリ７８を通って濾過器組立体８０内に封入された濾過材８０ａへと流れる主空気流に入る。濾過材８０ａは、除去された粒子状物質を収集および保持するが、空気流は、引き続き濾過器組立体８０を通過して、出口８０−２を通じて周囲大気中に排出され、それにより、構成部品から除去された粒子状物質による大気汚染が回避される。
【００２４】
[0034]ＳＣＲシステムの触媒を洗浄する代わりに、本装置は、炉の対流部を洗浄するために使用することができる。この場合、対流部の伝熱フィンおよびパイプは触媒よりも損傷しづらいので、ノズルの黒鉛ヘッドを金属ワイヤブラシに置き換えることができる。同一のガントリーおよび釣合いおもりを使用することができるが、一代替実施形態では、ランスは、釣合わせ支点に取り付けられる場合があり、釣合いおもりは、釣合わせ支点の反対側の細長い棒に取り付けられる。ランス、ノズル、減圧圧力生成装置、ホース、および密閉濾過器は、上述のものと同一とすることができる。ランスおよびノズルを入れて洗浄できるようにするために、炉の対流部にアクセス穴が作られうる。
【００２５】
[0035]本発明による装置の代替的な実施形態１００が、図９および図１０に示されている。具体的には、装置１００は、上述の装置１０に似ているが、直立支柱１０４、１０６の対に接続されてそれらに架かるガントリー梁１０２を含む。同様に、ガントリー梁１０２は、トロリ４０を同じく支持し、トロリ４０は、管状の真空ランス５０の近位端部５０ａに取り付けられるつなぎケーブル４２ａを有する釣合いデバイス４２を、ぶら下げるように支持する。したがって、真空ランス５０の重量は、操作者がランス５０を真空洗浄されるシステムに出入りさせられるようにするために、釣合いデバイス４２によって釣り合わせられる。
【００２６】
[0036]図９に示された装置１００の実施形態では、直立支柱１０４、１０６は、真空洗浄されるシステムの剛性支持面上に位置決めされる脚パッド１０４ａ、１０６ａを含む。直立支柱１０４、１０６に架かるガントリー梁１０２を安定させるために、安定化組立体１１０の対が設けられる。各安定化組立体は、Ｕ字形結合部材１１２を一端に含み、この結合部材１１２は、保持ボルト１１４（図１０参照）により直立支柱１０４、１０６のそれぞれ１つに取り付けられるサイズおよび構成となされる。安定化組立体１１０の反対側
端部に接続板１１６が設けられ、この板１１６は、洗浄されるシステムに関連する既存の構造上支柱梁ＳＢの突縁に係合するために、隆起した縁部条材１１６ａを有する。
【００２７】
[0037]Ｕ字形結合部材１１２および接続板１１６は、それぞれ、引締めねじ１２０によって互いに同軸に結合されるねじ付き軸１１２−１および１１６−１を備える。したがって、それにより、Ｕ字形結合部材１１２は、直立支柱１０４、１０６のうちの１つに接続され、接続板１１６の縁部条材１１６ａは、構造上支持梁ＳＢのうちの隣接した１つの構造上支持梁ＳＢの縁部と係合される。その後で、引締めねじ１２０は、Ｕ字形結合部材１１２および接続板１１６を互いに引き寄せるように回転されうる。このようにして、各安定化組立体１１０は、直立支柱１０４、１０６を隣接したそれぞれの構造上支持梁ＳＢに確実に接続し、それによりガントリー梁１０２が安定化される。
【００２８】
[0038]本明細書に記載の説明は、本発明の最も実際的で好ましい実施形態であると目下見なされることが、理解されるであろう。したがって、本発明は、開示された実施形態に限定されるものではなく、むしろ本発明の趣旨および範囲に含まれる様々な修正形態および等価な構成を含むように意図されている。
【図１】
2020073269.tif 000003
【図２】
2020073269.tif 000004
【図３】
2020073269.tif 000005
【図４】
2020073269.tif 000006
【図５】
2020073269.tif 000007
【図６】
2020073269.tif 000008
【図７】
2020073269.tif 000009
【図８】
2020073269.tif 000010
【図９】
2020073269.tif 000011
【図１０】
2020073269.tif 000012
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
堆積した粒子状物質を構成部品から除去するための装置（１０）であって、
可搬式のフレーム（１４）と、
前記フレーム（１４）によって支持されかつその遠位端部にノズル（５２）を有する管状のランス（５０）と、
加圧流体の流れを通過させるための入口端部（７８−１）および出口端部（７８−２）ならびに吸引ポート（７８ａ）を有するベンチュリデバイス吸引力生成器（７８）と、
前記ランス（５０）の前記近位端部（５０ａ）を前記ベンチュリデバイス吸引力生成器の前記吸引ポート（７８ａ）に接続する可撓性のホース（７６）とを備え、
前記ランス（５０）を操作して前記ノズル（５２）を構成部品をわたって動かすことにより、堆積した粒子状物質を前記構成部品から前記ランス（５０）を通じて除去することが可能になる、装置。
【請求項２】
前記ノズルが黒鉛を含む、請求項１に記載の装置。
【請求項３】
前記ランスの前記遠位端部が、前記ランスの長手軸に対して実質的に直角である、請求項１に記載の装置。
【請求項４】
前記フレームが脚輪を含む、請求項１に記載の装置。
【請求項５】
前記フレームが、前記構成部品の近傍の隣接した支持梁に取り付けられるための少なくとも１つの安定化組立体を含む、請求項１に記載の装置。
【請求項６】
前記安定化組立体が、前記フレームに接続可能な結合部材と、前記構成部品の近傍の隣接した支持梁に接続可能な接続板と、前記結合部材および前記接続板を相互接続する引締めねじ組立体とを含む、請求項５に記載の装置。
【請求項７】
前記直立支柱の対が、高さ調節可能である、請求項１に記載の装置。
【請求項８】
前記ベンチュリデバイス吸引力生成器の前記出口端部に流体接続される入口端部と、排出端部とを有する濾過器組立体をさらに含み、前記濾過器組立体が、前記ベンチュリデバイス吸引力生成器の前記出口端部から同伴粒子状物質を含んだ加圧流体の流れを受け取って、実質的に粒子状物質が含まれていない加圧流体をその前記排出端部を通じて排出する、請求項１に記載の装置。
【請求項９】
吸引力により構成部品から粒子状物質を除去する方法であって、
（ａ）  粒子状物質が除去される構成部品に隣接して請求項１に記載の装置を位置決めするステップと、
（ｂ）  前記ベンチュリデバイス吸引力生成器を操作して、前記ランスの前記ノズルにおいて吸引力を生成するステップと、
（ｃ）  前記ランスを操作して前記構成部品をわたって前記ノズルを動かすことにより、前記生成された吸引力により前記構成部品から粒子状物質を除去するステップと、
（ｄ）  前記ランスを通じて、前記除去された粒子状物質を前記構成部品から移送するステップとを含む方法。
【請求項１０】
ステップ（ｄ）が、
（ｄ１）  前記粒子状物質を前記空気流に同伴させるステップと、
（ｄ２）  前記空気流および同伴粒子状物質を濾過器組立体に向かわせるステップと、
（ｄ３）  前記濾過器組立体内で前記空気流から前記同伴粒子状物質を除去するステップと、
（ｄ４）  前記濾過器組立体から実質的に粒子状物質が含まれていない空気流を排出するステップとを含む、請求項９に記載の方法。
【手続補正２】
【補正対象書類名】明細書
【補正対象項目名】００２８
【補正方法】変更
【補正の内容】
【００２８】
[0038]本明細書に記載の説明は、本発明の最も実際的で好ましい実施形態であると目下見なされることが、理解されるであろう。したがって、本発明は、開示された実施形態に限定されるものではなく、むしろ本発明の趣旨および範囲に含まれる様々な修正形態および等価な構成を含むように意図されている。
以上説明したように、本発明は以下の形態を有する。
形態１
堆積した粒子状物質を構成部品から除去するための装置であって、
可搬式のフレームと、
前記フレームによって支持されかつその遠位端部にノズルを有する管状のランスと、
前記ランスの近位端部に動作可能に接続されて前記ノズルにおいて吸引力を生成する吸引力生成器とを備え、
前記ランスを操作して前記ノズルを構成部品をわたって動かすことにより、堆積した粒子状物質を前記構成部品から前記ランスを通じて除去することが可能になる、装置。
形態２
前記ノズルが黒鉛を含む、形態１に記載の装置。
形態３
前記ランスの前記遠位端部が、前記ランスの長手軸に対して実質的に直角である、形態１に記載の装置。
形態４
前記フレームが、前記ランスを包囲する管状の支持カラーを有する案内カラー組立体を含む、形態１に記載の装置。
形態５
前記案内カラー組立体が、支持受け台を含み、前記支持カラーが、接続ピンにより前記支持受け台に可動に接続される、形態４に記載の装置。
形態６
前記フレームが、離間した直立支柱の対と、前記直立支柱に取り付けられてそれらに架かるガントリー梁とを含む、形態１に記載の装置。
形態７
前記ガントリー梁に可動に連結されたトロリと、前記トロリおよび前記ランスを相互接続する釣合いデバイスとをさらに含む、形態６に記載の装置。
形態８
前記釣合いデバイスが、前記ランスの前記近位端部に接続される引き込み可能なつなぎケーブルを含む、形態７に記載の装置。
形態９
前記フレームが脚輪を含む、形態１に記載の装置。
形態１０
前記フレームが、前記構成部品の近傍の隣接した支持梁に取り付けられるための少なくとも１つの安定化組立体を含む、形態１に記載の装置。
形態１１
前記安定化組立体が、前記フレームに接続可能な結合部材と、前記構成部品の近傍の隣接した支持梁に接続可能な接続板と、前記結合部材および前記接続板を相互接続する引締めねじ組立体とを含む、形態１０に記載の装置。
形態１２
前記直立支柱の対が、高さ調節可能である、形態６に記載の装置。
形態１３
前記吸引力生成器が、加圧流体の流れを通過させるための入口端部および出口端部ならびに吸引ポートを有する静的なベンチュリデバイスであり、また、前記装置が、前記ランスの前記近位端部を前記ベンチュリデバイスの前記吸引ポートに接続する可撓性のホースを含む、形態１に記載の装置。
形態１４
前記ベンチュリデバイスの前記出口端部に流体接続される入口端部と、排出端部とを有する濾過器組立体をさらに含み、前記濾過器組立体が、前記ベンチュリデバイスの前記出口端部から同伴粒子状物質を含んだ加圧流体の流れを受け取って、実質的に粒子状物質が含まれていない加圧流体をその前記排出端部を通じて排出する、形態１３に記載の装置。
形態１５
吸引力により構成部品から粒子状物質を除去する方法であって、
（ａ）  粒子状物質が除去される構成部品に隣接して形態１に記載の装置を位置決めするステップと、
（ｂ）  前記吸引力生成器を操作して、前記ランスの前記ノズルにおいて吸引力を生成するステップと、
（ｃ）  前記ランスを操作して前記構成部品をわたって前記ノズルを動かすことにより、前記生成された吸引力により前記構成部品から粒子状物質を除去するステップと、
（ｄ）  前記ランスを通じて、前記除去された粒子状物質を前記構成部品から移送するステップとを含む方法。
形態１６
前記吸引力が、吸引ポートを有するベンチュリデバイスを通過する空気流によって生成され、前記ランスが、前記ベンチュリデバイスの前記吸引ポートに接続されている、形態１５に記載の方法。
形態１７
ステップ（ｄ）が、
（ｄ１）  前記粒子状物質を前記空気流に同伴させるステップと、
（ｄ２）  前記空気流および同伴粒子状物質を濾過器組立体に向かわせるステップと、
（ｄ３）  前記濾過器組立体内で前記空気流から前記同伴粒子状物質を除去するステップと、
（ｄ４）  前記濾過器組立体から実質的に粒子状物質が含まれていない空気流を排出するステップとを含む、形態１６に記載の方法。
形態１８
釣合いデバイスによって前記ランスを吊り下げるステップを含む、形態１５に記載の方法。
形態１９
前記釣合いデバイスがつなぎケーブルを含み、また、前記方法が、前記ランスの近位端部を前記つなぎケーブルに取り付けるステップを含む、形態１８に記載の方法。
形態２０
可動トロリを有するガントリー梁を用意するステップ、および、前記釣合いデバイスを前記トロリからぶら下げるように支持するステップを含む、形態１８に記載の方法。
【外国語明細書】
2020073269000001.pdf